(57)【要約】【課題】  回転し易い収納物を、簡易な構成によって回転を阻止しつつ外側から視認可能な状態で収容して、陳列時における美観や、内部の収納物の見易さを向上させる包装体を提供する。【解決手段】  上端の開口部１３を内フラップ１４及び外フラップ１５を用いて閉塞する筒状の箱１１に、収納物１２を外側から視認可能な状態で収容してなる包装体１０であって、開口部１３の周縁の対向する一対の辺１７に内フラップ１４が各々連設しており、各内フラップ１４には、連設する辺１７の側に折曲げ基端部分１８ａを配置した片持ち状の切り抜き片１８を形成するための切込み１９が設けられている。一対の辺１７に連設する内フラップ１４によって開口部１３を覆う際に、切り抜き片１８を折曲げ基端部分１８ａで曲折させて押し付け片１６として箱１１の内方に各々突出させ、収納物１２に両側から挟み込むようにして押し付けることにより、収納物１２の回転を阻止する。【選択図】      図１
2007008560.tif 000002
【特許請求の範囲】
【請求項１】
上下の開口部の少なくとも一方を内フラップ及び外フラップを用いて閉塞する筒状の箱に、回転体状の収納物を外側から視認可能な状態で収容してなる包装体であって、
前記内フラップに連設して押し付け片を形成し、該押し付け片を前記収納物に押し付けることによって、前記収納物の回転を阻止した包装体。
【請求項２】
前記開口部の周縁の一辺に前記内フラップが連設し、該内フラップに、前記連設する一辺の側に折曲げ基端部分を配置した片持ち状の切り抜き片を形成するための切込みが設けられており、前記一辺に連設する内フラップによって前記開口部を覆う際に、前記切り抜き片を前記折曲げ基端部分で曲折させて前記押し付け片として前記箱の内方に突出させ、前記収納物と箱の側壁との間に配することで前記収納物の回転を阻止する請求項１記載の包装体。
【請求項３】
前記切込みは、コの字形状又はＵ字形状の切込みである請求項２に記載の包装体。
【請求項４】
前記押し付け片が収納物の回転中心に向かって弾性付勢力を付されている請求項１〜３のいずれかに記載の包装体。
【請求項５】
前記箱はプラシチックシートから形成され、収容物高さより箱高さが高いことを特徴とする請求項１〜４のいずれかに記載の包装体。
【発明の詳細な説明】
【技術分野】
【０００１】
本発明は、包装体に関し、特に、上下の開口部の少なくとも一方を内フラップ及び外フラップを用いて閉塞する筒状の箱に、収納物を外側から視認可能な状態で収容した包装体に関する。
【背景技術】
【０００２】
例えば、化粧品類、薬品類、菓子類、文房具類や、その他の日用品等を包装する包装箱として、透明な、或いは透明感のあるプラスチック製の箱が、内部の収納物や装飾を外側から視認可能な状態で収容するものとして多用されている。また、例えば厚紙等によって形成した紙製の箱や、その他の不透明なシート材料からなる箱においても、周面に開口部や切欠き部等を設けて、内部の収納物や装飾を外側から視認可能な状態で収容することが行われている。
【０００３】
これらの外側から視認可能な状態で収納物を収容する箱は、一般に４角形、多角形、円形等の断面形状を備える筒状に形成した箱本体の上下の開口部を、当該開口部の周縁に連設するフラップ片を用いて閉塞することによって製造される（例えば、特許文献１参照）。
【特許文献１】実開平６−４２６３２号公報
【特許文献２】特開２００１−２０６４７０号公報
【発明の開示】
【発明が解決しようとする課題】
【０００４】
外側から視認可能な状態で箱に収容されて包装体を構成する収納物として、例えば円筒形状等の周壁が回転体あるいは回転体に類似した形状である収納物が収容されている場合には、箱の内部で収納物が回転しやすく、例えば収納物に施した装飾や説明書き等が陳列時に見難くなることで、製品としての包装体が粗雑な印象を与える場合があった。
【０００５】
一方、透明な樹脂製のケースに収容された収納物（糸巻）の回転を阻止するための、簡易な回転防止手段を備えた包装体（糸巻収納体）も開示されている（例えば、特許文献２）。特許文献２の包装体は、例えば扁平な六面体形状のケースの側端面を開閉可能に閉塞する蓋片と連設する差込み片に、略台形状に突出する止定部を一体的に設けておき、この止定部を、収納物としてケース内に収容された糸巻の隣り合う一対のリブの間に挿入配置することによって、当該糸巻の回転を阻止するものである。
【０００６】
特許文献２の回転防止手段は、収納物として、糸が巻回される筒状胴部の内周部に複数のリブが設けられたものであることが必要である。したがって、止定部を係止するためのリブを備えていない収納物に採用することは困難である。
【０００７】
本発明は、周壁が回転体あるいは回転体に類似した形状である回転し易い収納物を、外側から視認可能な状態で収容する際に簡易な構成によって回転を阻止することにより、陳列時における美観や、内部の収納物等の見易さを向上させる包装体を提供することを目的とする。
【課題を解決するための手段】
【０００８】
本発明は、上下の開口部の少なくとも一方を内フラップ及び外フラップを用いて閉塞する筒状の箱に、回転体状の収納物を外側から視認可能な状態で収容してなる包装体であって、前記内フラップに連設させて押し付け片を形成し、該押し付け片を前記収納物に押し付けることによって、前記収納物の回転を阻止した包装体を提供することにより、上記目的を達成したものである。
【発明の効果】
【０００９】
本発明の包装体によれば、回転し易い収納物を、簡易な構成によって回転を阻止しつつ外側から視認可能な状態で収容することができる。
【発明を実施するための最良の形態】
【００１０】
本発明の好ましい第１実施形態に係る包装体１０は、図１に示すように、例えば縦長六面体形状の透明なプラスチック製の箱１１に、収納物として、例えば化粧品を封入した円筒形状の容器１２を、回転を阻止した状態で収納して製品化される。箱１１が透明であることで、容器１２を箱１１から取り出すことなく外側から視認できる。
【００１１】
すなわち、本第１実施形態の包装体１０は、箱本体１０ｂの上下の開口部の一方である上端の開口部１３（図４参照）を内フラップ１４，１４及び外フラップ１５を用いて閉塞する４角形断面の筒状の箱１１に、収納物１２を外側から視認可能な状態で収容して構成される。包装体１０では、箱１１の内フラップ１４の一部を利用して押し付け片１６を形成している。箱の材料が後述するように弾性力を有するプラスチックで形成されているので、押し付け片１６には、回転体である円筒形状の容器の回転中心へと向かう付勢力が付されている。このように押し付け片１６を収納物１２の周壁１２aに押し付けることによって、収納物１２の回転を阻止している。
【００１２】
本第１実施形態では、開口部１３の周縁の対向する一対の辺１７，１７に内フラップ１４，１４が各々連設している。各内フラップ１４には、切込み１９が設けられている。切り込みによって形成される切抜き片１８と内フラップ１４とを結ぶ基端部分１８ａが、切込み１９が設けられる内フラップと箱本体１０ｂとをつなぐ辺１７の側に設けてある。
【００１３】
ここで、基端部分１８ａにおいて切り込み１９で囲まれる部分が箱の内側に折り曲げられることで、片持ち状の切り抜き片１８が形成されている。すなわち、向かい合った一対の辺１７，１７に連設する内フラップ１４，１４によって開口部１３を覆う際に、切り抜き片１８を折曲げ基端部分１８ａで曲折させて、押し付け片１６として箱１１の内方に各々突出させ、図２にも示すように、これらの一対の押し付け片１６を収納物１２と箱本体１０ｂの側壁との間に配することで収納物１２に両側から挟み込むようにして押し付けることにより、収納物１２の回転を阻止するようになっている。
【００１４】
本第１実施形態の箱１１は、例えば図３に示す所定の展開形状を備えるように打ち抜いて形成された透明なプラスチックシート２０を用いて、例えば幅Ｂが３０〜６０ｍｍ、奥行きＬが３０〜６０ｍｍ、高さＨが１００〜２００ｍｍ程度の大きさの縦長六面体形状に組み立てられる。プラスチックシート２０は、例えばポリプロピレン、ポリエチレンテレフタレート、ポリ塩化ビニル、ポリスチレン等のプラスチックからなる、好ましくは０．３〜０．５ｍｍの厚さを備える薄板状のシート材料であって、側縁部を把持して片持ち状に水平にした場合でも、折れ曲がることなく滑らかに湾曲した状態を保持できる程度の保形剛性及び弾性を備えると共に、手の力で容易に折り曲げることができる程度の変形性を備えている。
【００１５】
また、プラスチックシート２０には、例えば半切れ線や罫線からなる折曲げ線２５，２６や、全切れ線からなる切込み１９等が適宜の位置に設けられ、縦長六面体形状に組み立てる作業を容易に行うことができる。すなわち、箱１１の４角形断面の胴部２１を構成する、縦長の長方形の後方側壁部２２ｃの両側には、縦方向折曲げ線２５を介して縦長の長方形の側方側壁部２２ｂが各々連設しており、一方の側方側壁部２２ｂの側方には、縦方向折曲げ線２５を介して縦長の長方形の前方側壁部２２ａが連設している。また前方側壁部２２ａの側方には、縦方向折曲げ線２５を介して縦長帯状の接合片２３が連設している。
【００１６】
さらに、各側方側壁部１２ｂ，１２ｂの上方には、横方向折曲げ線２６，２６を介して内フラップ１４，１４が各々連設していると共に、後方側壁部１２ｃの上方には、横方向折曲げ線２６を介して差込みフラップ片２４を備える外フラップ１５が連設している。さらに、本第１実施形態では、前方側壁部２２ａ及び後方側壁部１２ｃの下方には、横方向折曲げ線２６，２６を介して第１重ね合わせフラップ片２７、２７が各々連設していると共に、一対の側方側壁部２２ｂの下方には、横方向折曲げ線２６，２６を介して第２重ね合わせフラップ片２８，２８が各々連設している。なお、これらの各一対の重ね合わせフラップ片２７，２８を互いに係止させつつ順次重ね合わせ、接着剤等によって適宜接合することによって、プラスチックシート２０から縦長六面体形状の箱１１を形成する際に、下端の開口部を閉塞する。
【００１７】
本実第１施形態では、各内フラップ１４に、弾性付勢力を有する押し付け片１６を形成するための切込み１９が設けられている。切込み１９は、その開放部分の幅ｂが１０〜２０ｍｍ程度のＵ字形状を有しており、その開放側を開口部１３の周縁の対向する一対の辺１７となる横方向折曲げ線２６に近接させて、内フラップ１４の幅方向中央に配置して設けられる。この切込み１９によって囲まれる部分が、Ｕ字形状の開放部分を折曲げ基端部分１８ａとして、例えば半切れ線や罫線からなる基端部折曲げ線１８ｂを介して内フラップ１４から下方に折り曲げられ、１０〜３０ｍｍ程度の長さで下方に突出する切り抜き片１８を形成する。なお、折曲げ基端部分１８ａの基端部折曲げ線１８ｂは、対向する一対の辺１７の側に食い込んで弧状に湾曲する形状を備えている。これによって下方に突出する切り抜き片１８を湾曲させやすくして、円筒形状の収納物１２の外周面への密着性を高めると共に、押し付け片１６を収納物１２の外周面へ押し付けるための弾性付勢力をさらに効果的に生じさせることが可能になる。
【００１８】
また、下方に折り曲げられた切り抜き片１８は、プラスチックシート２０を縦長六面体形状に組み立てて開口部１３を一対の内フラップ１４によって覆った際に、両側の基端部折曲げ線１８ｂの間の間隔が、円筒形状の収納物１２の直径と略等しくなるような位置関係で形成されており、内フラップ１４に対して、９０度を超えない角度を保持した状態で折り曲げられる。これによって、組み立てた箱１１の内部に円筒形状の収納物１２を収容した際に、各切り抜き片１８は、収納物１２によって押し広げられるようにして、内フラップ１４等と共に弾性変形し、収納物１２の上部外周面に密着する。またこの弾性変形によって、切り抜き片１８は収納物１２を内側に押圧する弾性付勢力を生じて押し付け片１６として機能することになり、これらの一対の押し付け片１６によって両側から挟み込むようにして収納物１２を押し付けることにより、収納物の回転を阻止する（図１、図２参照）。
【００１９】
さらに、本第１実施形態では、外フラップ１５と差込みフラップ片２４との間の差込み折曲げ線２９に、その中央部分に扁平なコの字形状の切込みを形成することにより、指掛け係止用の突片３０が、組み立て後に前方側壁部２２ａの延長面からから突出しない突出長さで設けられている。また前方側壁部２２ａの上端縁部には、その中央部分に、扁平なコの字形状の指掛け案内切欠き３１が形成されている。このように構成することで、内フラップ１４及び外フラップ１５によって上端の開口部１３が封止された包装体１０から収納物１２を取り出す際に、指掛け案内切欠き３１を介して指掛け用の突片３０に指先を掛けることが容易になり、これによって、上端の開口部１３を開放させる操作をスムーズに行うことが可能になる。
【００２０】
上述のように形成されたプラスチックシート２０を用いて箱１１を組み立て、回転を阻止した状態で収納物１２を収容して本第１実施形態の包装体１０とするには、例えば、以下の方法で行う。
まず各縦方向折曲げ線２５を略９０度折り曲げ、一方の側方側壁部２２ｂの側縁部に沿って接合片２３を接着剤や熱融着等を介して接合することにより、前方側壁部２２ａと、一対の側方側壁部２２ｂと、後方側壁部２２ｃとによって４方を囲まれた４角形断面の筒状の胴部２１を形成する。次に、胴部２１の下端の開口部（図示せず。）を、前方側壁部２２ａ、後方側壁部２２ｃ、及び一対の側方側壁部２２ｂの下方に連設する第１重ね合わせフラップ片２７及び第２重ね合わせフラップ片２８を用いて閉塞する。
【００２１】
しかる後に、図４に示すように、内フラップ１４の切り抜き片１８を折曲げ基端部分１８ａ（基端部折曲げ線１８ｂ）から内側に折り曲げた状態で、切抜き片１８の上から円筒形状の収納物１２を押し込むようにしながら、箱１１の内部に挿入する。これによって、内フラップ１４及び切り抜き片１８は内側下方に向けて回動し、図１に示すように、一対の内フラップ１４が上端部の開口部１３を覆うと共に、一対の切り抜き片１８が押し付け片１６として機能して収納物１２の上部外周面を両側から挟み込むように円筒の回転中心に向かって押し付けた状態で、収納物１２が箱１１の内部に収納されることになる。さらに、上端の開口部１３を覆った内フラップ１４の上方に外フラップ１５を折り重ねると共に、差込みフラップ片２４を前方側壁部２２ａの上端内側の内フラップ１４の側縁との間の隙間に差し込み、例えば差込み折曲げ線２９の両端部に形成した係止切欠き２９ａに内フラップ１４の側縁基端部分を係止することにより閉塞状態をロックすることで、本第１実施形態の包装体１０が得られる。
【００２２】
本第１実施形態の包装体１０によれば、回転体状であって箱１１の内部で回転し易い収納物１２である円筒形状の容器を、簡易な構成によって回転を阻止しつつ外側から視認可能な状態で収容することにより、陳列時における美観や、内部の収納物１２の見易さを向上させることができる。すなわち、本第１実施形態によれば、プラスチックシート２０の内フラップ１４にＵ字形状の切込み１９を設けただけの簡易な構成によって、この切込み１９による切り抜き片１８を、収納物１２を円筒の回転中心に向かって両側から挟み込む弾性付勢力を有する押し付け片１６として機能させることができ、収納物１２の回転を効果的に阻止することが可能になる。また収納物１２が箱１１の内部で所望の方向を向くように周方向の位置合わせを行った状態を維持することが容易になり、これらによって、収容物１２を、陳列時における美観や外部からの見易さを向上させた状態で収納しておくことが可能になる。また、収容物１２の高さより箱１１の高さを１〜３ｍｍ程度高くすることで内フラップ１４の反発力を吸収することができ、箱１１の外形の変形が殆ど無くなり美観に優れた箱とすることができる。
【００２３】
更に、本第１実施形態の包装体１０によれば、開口部１３の周縁の対向する一対の辺１７，１７に連設する内フラップ１４，１４の各々に、切込み１９，１９によって形成される切り抜き片１８，１８が設けられ、各々の内フラップ１４，１４において切り抜き片１８，１８を結ぶ基端部分１８ａ，１８ａが、切込み１９，１９が設けられる内フラップ１４，１４と箱本体１０ｂとをつなぐ辺１７，１７の側に設けてあることで、内フラップ１４，１４を開いた状態で切り抜き片１８，１８（押し付け片１６，１６）を内側に曲げ、そのまま上方より収納物１２を箱に入れることで容易に押し付け片１６，１６を収容物１２に押し付け、かつ内フラップ１４，１４を閉じることができ、包装体の組み立てが容易になる。
【００２４】
図５（ａ）は、本発明の第２実施形態に係る包装体を構成する箱を形成するためのプラスチックシート３２の要部を示すものである。本第２実施形態のプラスチックシート３２は、上記第１実施形態のプラスチックシート２０と略同様の構成を備える一方で、側方側壁部２２ｂの上方に連設する内フラップ３３ａ，３３ｂのうちの一方３３ａは、外フラップ１５と略同様の長さで延設している。この内フラップ３３ａには、片持ち状の切り抜き片３４を形成するための切込み３５が、切り抜き片３４の折曲げ基端部分３４ａが各々他方の切り込み３４、３４から離れた位置になるように一対設けられている。一対の切り抜き片３４の基端部折曲げ線３４ｂ間の間隔Ｓ1は、円筒形状の収納物１２の直径と略等しくなっている。なお、他方の内フラップ３３ｂは切込みが形成されていない。
【００２５】
本第２実施形態のプラスチックシート３２から形成された箱によっても、一方の内フラップ３３ａの一対の切り抜き片３４を折曲げ基端部分３４ａ（基端部折曲げ線３４ｂ）から箱の内側に折り曲げ、内フラップ３３ａ及び切り抜き片３４を弾性変形させつつ切り抜き片３４を押し付け片として機能させて、収納物１２の上部外周面を両側から挟み込んで収納物１２の回転を阻止することにより、上記第１実施形態と同様の作用効果を奏することになる。
すなわち、収納物１２の回転を効果的に阻止することが可能になることで収納物１２が箱１１の内部で所望の方向を向くように周方向の位置合わせを行った状態を維持することが容易になり、これらによって、収容物１２を、陳列時における美観や外部からの見易さを向上させた状態で収納しておくことが可能になる。
【００２６】
図５（ｂ）は、本発明の第３実施形態に係る包装体を構成する箱を形成するためのプラスチックシート３６の要部を示すものである。本第３実施形態のプラスチックシート３６は、上記第１実施形態のプラスチックシート２０と略同様の構成を備える一方で、側方側壁部２２ｂの上方に連設する内フラップ３７ａ，３７ｂのうちの一方３７ａは、外フラップ１５の長さを超える部分に内フラップ折曲げ線４０を介して連設する折曲げ片４１を備えている。この内フラップ３７ａには、片持ち状の切り抜き片３８を形成するための切込み３９が、切り抜き片３８の折曲げ基端部分３８ａを横方向折曲げ線２６に近接させて一箇所に設けられている。また切り抜き片３８の基端部折曲げ線３８ｂと内フラップ折曲げ線４０との間隔Ｓ2は、円筒形状の収納物１２の直径と略等しくなっている。なお、他方の内フラップ３７ｂは切込みが形成されていないフラップ片となっている。
【００２７】
本第３実施形態のプラスチックシート３６から形成された箱によっても、一方の内フラップ３７ａの切り抜き片３８を折曲げ基端部分３８ａ（基端部折曲げ線３８ｂ）から箱の内側に折り曲げ、内フラップ３７ａ及び切り抜き片３８を弾性変形させつつ切り抜き片３８を押し付け片として機能させて、収納物１２の上部外周面を折曲げ片４１との間で挟み込んで収納物１２の回転を阻止することにより、上記第１実施形態と同様の作用効果を奏することになる。
【００２８】
図６（ａ）は、本発明の第４実施形態に係る包装体を構成する箱を形成するためのプラスチックシート４２の要部を示すものである。本第４実施形態のプラスチックシート４２は、上記第１実施形態のプラスチックシート２０と略同様の構成を備える一方で、各側方側壁部２２ｂの上方に連設する内フラップ４３には、切り抜き片を形成するための切込みは設けられておらず、横方向折曲げ線２６と平行に延設して、下方折曲げ線４４が設けられている。また、下方折曲げ線４４は、プラスチックシート４２を縦長六面体形状に組み立てた際に、図６（ｂ）に示すように、両側の下方折曲げ線４４の間の間隔が、円筒形状の収納物１２の直径Ｓ3よりも狭くなるような位置関係で設けられている。これによって内フラップ４３の下方折曲げ線４４よりも先端側部分４３ａは、下方に折り曲げられて収納物１２の直径Ｓ3よりも狭い間隔で延設することになる。
【００２９】
本第４実施形態のプラスチックシート４２から形成された箱によっても、一対の内フラップ４３を弾性変形させつつ下方折曲げ線４４よりも先端側部分４３ａを内フラップ４３に連設する押し付け片として機能させて、収納物１２の上部外周面を両側から挟み込んで収納物１２の回転を阻止することにより、上記第１実施形態と同様の作用効果を奏することになる。
【００３０】
なお、本発明は上記各実施形態に限定されることなく種々の変更が可能である。例えば化粧品類以外の薬品類、菓子類、文房具類や、その他の日用品等を収納物として箱に収容して本発明の包装体とすることができる。また収納物は、円筒状の容器以外の、楕円断面形状の容器、多角断面形状の容器等の回転し易いその他の種々の収納物であっても良い。さらに、収納物を外側から視認可能な状態で収容する箱は、透明なプラスチックシートからなるものである必要は必ずしもなく、周面に開口部や切欠き部等を設けておくことにより内部の収納物を視認可能とした、紙製やその他のシート材料からなる箱であっても良い。
【００３１】
また、押し付け片が設けられた内フラップによって閉塞される開口部は、筒状の箱の上端の開口部である必要は必ずしもなく、下端の開口部を覆う内フラップによる押し付け片を用いて、収納物の下端部において回転を阻止することもでき、上下の開口部の双方に内フラップによる押し付け片を設けて、上端部及び下端部において収納物の回転を阻止することもできる。さらに、内フラップに片持ち状の切り抜き片を形成するための切込みは、コの字形状又はＵ字形状の切込み以外のその他の種々の形状に形成することもできる。
【００３２】
本発明の包装体を構成する筒状の箱は、４角形の断面形状を備える箱である必要は必ずしもなく、６角形、８角形等のその他の断面形状を有する箱であってもよい。
【図面の簡単な説明】
【００３３】
【図１】本発明の好ましい第１実施形態に係る包装体の構成を説明する斜視図である。
【図２】本発明の好ましい第１実施形態に係る包装体の構成を説明する要部略示断面図である。
【図３】本発明の好ましい第１実施形態に係る包装体の箱を形成するためのプラスチックシートの展開平面図である。
【図４】本発明の好ましい第１実施形態に係る包装体の構成を説明する分解斜視図である。
【図５】（ａ）は本発明の好ましい第２実施形態に係る包装体の箱を形成するためのプラスチックシートの要部展開平面図、（ｂ）は本発明の好ましい第３実施形態に係る包装体の箱を形成するためのプラスチックシートの要部展開平面図である。
【図６】（ａ）は本発明の好ましい第４実施形態に係る包装体の箱を形成するためのプラスチックシートの要部展開平面図、（ｂ）は本発明の好ましい第４実施形態に係る包装体の構成を説明する略示断面図である。
【符号の説明】
【００３４】
１０  包装体
１１  箱
１２  収納物
１３  上端の開口部
１４，３３ａ，３３ｂ，３７ａ，３７ｂ，４３  内フラップ
１５  外フラップ
１６  押し付け片
１７  開口部の周縁の対向する一対の辺
１８，３４，３８  切り抜き片
１８ａ，３４ａ，３８ａ  切り抜き片の折曲げ基端部分
１８ｂ，３４ｂ，３８ｂ  基端部折曲げ線
１９，３５，３９  切込み
２０，３２，３６，４２  プラスチックシート
２２ａ  前方側壁部
２２ｂ  側方側壁部
２２ｃ  後方側壁部
２４  差込みフラップ側壁部との接続稜線
２９  差込み折曲げ線
４０  内フラップ折曲げ線
４１  折曲げ片
４３ａ  内フラップの下方折曲げ線よりも先端側部分
４４  下方折曲げ線
【図１】
2007008560.tif 000003
【図２】
2007008560.tif 000004
【図３】
2007008560.tif 000005
【図４】
2007008560.tif 000006
【図５】
2007008560.tif 000007
【図６】
2007008560.tif 000008